(57)【要約】  回路基板に実装する側の面の両側部に実装用パッド端子が配列するメスコネクタとオスコネクタ、およびそれらを用いたコネクタ構造を提供する。  メスコネクタ（Ｃ２）は、絶縁フィルム（１）と絶縁フィルム（１）の一方の面（Ａ面）に形成されたパッド部（８）と、絶縁フィルム（１）の他方の面（Ｂ面）を被覆して固定配置され、かつ絶縁被覆が施されている金属ガイド部材（７）と、パッド部（８）およびそれが位置する絶縁フィルム（１）の箇所を厚み方向に貫通して形成されたスリット開口（９）から成るメス端子部（Ｅ）と、メス端子部（Ｅ）を包摂する広さを有し、かつ金属ガイド部材（７’）を貫通して形成された貫通孔と、絶縁フィルム（１）のＢ面の両側部に形成され、その表面は金属ガイド部材（７’）の表面よりも突出し、かつパッド部（８）と電気的に接続されている実装用パッド端子から成る。メスコネクタのＡ面側から、スリット開口（９）にオスコネクタ（Ｃ１）のオス端子部（Ｄ）が挿入されて成るコネクタ構造。
2014069327.tif 000002
【特許請求の範囲】
【請求項１】
可撓性を有する絶縁フィルムと、前記絶縁フィルムの一方の面に突設された突起バンプから成るオス端子部と、前記絶縁フィルムの他方の面を被覆して固定配置され、かつ絶縁被覆が施されている金属ガイド部材と、前記絶縁フィルムにおける前記他方の面の両側部に形成され、表面が前記金属ガイド部材の表面よりも突出し、かつ基部が前記オス端子部のそれぞれと電気的に接続されている実装用パッド端子とを有するオスコネクタと、
可撓性を有する絶縁フィルムと、前記絶縁フィルムの一方の面に形成されたパッド部と、前記絶縁フィルムの他方の面を被覆して固定配置され、かつ絶縁被覆が施されている金属ガイド部材と、前記パッド部およびそれが位置する前記絶縁フィルムの箇所を厚み方向に貫通して形成されたスリット開口から成るメス端子部と、前記メス端子部を包摂する断面広さを有し、かつ前記金属ガイド部材を厚み方向に貫通して形成された貫通孔と、前記絶縁フィルムにおける前記他方の面の両側部に形成され、表面が前記金属ガイド部材の表面よりも突出し、かつ基部が前記メス端子部のそれぞれと電気的に接続されている実装用パッド端子とを有するメスコネクタとを備え、
前記オスコネクタの前記オス端子部を前記メスコネクタの前記メス端子部に挿入して用いられることを特徴とするコネクタ構造。
【請求項２】
請求項１記載のコネクタ構造において、
前記オスコネクタの前記オス端子部が、前記絶縁フィルムの長手方向に沿って２列の配列または千鳥模様の配列をなして形成されているコネクタ構造。
【請求項３】
請求項１または２記載のコネクタ構造において、
前記オスコネクタの前記実装用パッド端子が、前記オスコネクタの前記絶縁フィルムの両側から櫛歯状に張りだして形成されているコネクタ構造。
【請求項４】
請求項１〜３のいずれか１に記載のコネクタ構造において、
前記メスコネクタのメス端子部が、前記メスコネクタの絶縁フィルムの長手方向に２列の配列または千鳥模様の配列をなして形成されているコネクタ構造。
【請求項５】
請求項１〜４のいずれか１に記載のコネクタ構造において、
前記メスコネクタの前記実装用パッド端子が、前記メスコネクタの前記絶縁フィルムの両側から櫛歯状に張りだして形成されているコネクタ構造。
【請求項６】
請求項１〜５のいずれか１に記載のコネクタ構造において、
前記メスコネクタの前記パッド部は、前記オスコネクタの前記オス端子部を前記メス端子部に挿入したときの保持力が、１００回の挿抜動作を反復した後にあっても、初期値対比で５０％以上の値を示す金属材料で形成されているコネクタ構造。
【請求項７】
請求項６記載のコネクタ構造において、
前記金属材料が、ステンレス鋼、ニッケル合金、鉄合金、または銅合金のいずれかであるコネクタ構造。
【請求項８】
請求項１〜７のいずれか１に記載のコネクタ構造において、
前記オスコネクタまたは前記メスコネクタのいずれか一方のコネクタの両端には、両コネクタを組み付けるときの位置決め用の係止ガイド部が突設されており、かつ他方のコネクタの両端には、前記係止ガイド部と嵌合可能な切欠ガイド部または貫通孔ガイド部が形成されているコネクタ構造。
【請求項９】
請求項１〜８のいずれか１に記載のコネクタ構造において、
前記オスコネクタの前記オス端子部は、その中腹部位がくびれた形状になっているコネクタ構造。
【請求項１０】
可撓性を有する絶縁フィルムと、前記絶縁フィルムの一方の面に形成されたパッド部と、前記絶縁フィルムの他方の面を被覆して固定配置され、かつ絶縁被覆が施されている金属ガイド部材と、前記パッド部およびそれが位置する前記絶縁フィルムの箇所を厚み方向に貫通して形成されたスリット開口から成るメス端子部と、前記メス端子部を包摂する断面広さを有し、かつ前記金属ガイド部材を厚み方向に貫通して形成された貫通孔と、前記絶縁フィルムにおける前記他方の面の両側部に形成され、表面が前記金属ガイド部材の表面よりも突出し、かつ基部が前記メス端子部のそれぞれと電気的に接続されている実装用パッド端子とを有してなり、
組み付け相手のオスコネクタのオス端子部を前記メス端子部に挿入して用いられることを特徴とするメスコネクタ。
【請求項１１】
可撓性を有する絶縁フィルムと、前記絶縁フィルムの一方の面に突設された突起バンプから成るオス端子部と、前記絶縁フィルムの他方の面を被覆して固定配置され、かつ絶縁被覆が施されている金属ガイド部材と、前記絶縁フィルムにおける他方の面の両側部に形成され、表面が前記金属ガイド部材の表面よりも突出し、かつ基部が前記オス端子部と電気的に接続されている実装用パッド端子とを有してなり、
組み付け相手のメスコネクタのメス端子部を前記オス端子部に挿入して用いられることを特徴とするオスコネクタ。
【発明の詳細な説明】
【技術分野】
【０００１】
本発明は新規なコネクタ構造に関し、更に詳しくは、出入力端子がムカデの足状に引き出されていて全体が樹脂封止されているオスコネクタとメスコネクタを互いに組み付けて構成されていた従来のコネクタ構造に比べると、大幅に狭幅化が実現され、また低背化も実現されていて、しかもオスコネクタとメスコネクタ間の保持力も適正に確保されているコネクタ構造と、そのコネクタ構造を構成するオスコネクタとメスコネクタであって、それぞれをリジッド回路基板やフレキシブル回路基板にはんだ実装する際の作業も円滑に行うことができる新規構造のオスコネクタとメスコネクタに関する。
【背景技術】
【０００２】
各種の電気・電子機器の小型化、薄型化、多機能化、軽量化の進展に伴い、これら機器に組み込まれる回路基板に実装する各種の部品に対しても小型化、薄型化の要求が強まっている。このようなことからして、回路基板間や部品間を電気的に接続するための中継点であるコネクタ構造に対しても、その小型化（省スペース化）と薄型化（低背化）の要求が強まっている。【０００３】
従来、メスコネクタやオスコネクタ、とりわけメスコネクタの場合、薄い金属板材を金型で所定形状に打ち抜き加工し、その面内の両側端部に長手方向に沿って２列のメス端子部を形成し、各メス端子部から側方に出入力端子をムカデの足状に引き出し、そして全体を樹脂封止して製造された２列タイプのものが主流になっている。このメスコネクタの出入力端子を所定の回路基板のパッドにはんだ付けして実装し、そしてそのメスコネクタに相手材であるオスコネクタを組み付けることにより目的とするコネクタ構造が形成されていた。【０００４】
しかしながら、この方法で形成されていた従来のコネクタ構造の場合、両コネクタの接続部の高さを１．０ｍｍ以下に低背化させることは困難であり、また出入力端子間のピッチ（間隔）を０．４ｍｍ以下に狭ピッチ化することも困難であり、そのため、コネクタ構造の更なる省スペース化、低背化という点で限界にぶつかっていた。【０００５】
このような問題を解決するために、フレキシブル回路基板を基材として用い、これにめっき技術とフォトリソグラフィー技術とエッチング技術を適用して、当該フレキシブル回路基板に、例えばスリット開口から成るメス端子部をマトリックス状に配列したメスコネクタを一体的に形成し、これに、同じくフレキシブル回路基板に例えば銅めっきを施してなるバンプ形状のオス端子部を有するオスコネクタを形成し、そのオス端子部を前記メス端子部に挿入することによりこれら両コネクタを組み付けたコネクタ構造が提案されている（特許文献１を参照）。【０００６】
また、絶縁フィルムにめっき技術とフォトリソグラフィー技術とエッチング技術を適用して、メス端子部がマトリックス状に配列した構造から成る単品のメスコネクタを製造し、また同じく絶縁フィルムにオス端子部をマトリックス状に配列した構造から成る単品のオスコネクタを製造し、両者を組み付けたコネクタ構造が提案されている。その場合、メスコネクタとオスコネクタは、いずれも、メス端子部とオス端子部の背面に位置する所定箇所をそれぞれが搭載される回路基板のパッドにはんだ付けして実装され、その箇所がそれぞれの回路基板の出入力端子部として機能することになる（特許文献２を参照）。【０００７】
これら特許文献が開示するコネクタ構造の場合、従来の２列タイプのコネクタ構造に比べると、両コネクタの接続部はマトリックス状に配列しているので大幅に省スペース化が実現されており、また基材として薄い絶縁フィルムを用いているので低背化もまた実現されている。更には省スペース化を確保しながら、接続部の多ピン化が可能となるため、各部品の多機能化の要請にも応えることができる。【０００８】
これら特許文献が開示する核心的技術は、メスコネクタのメス端子部が可撓性を有する薄い絶縁フィルムとその表面を被覆する金属材料とから成るパッド部に形成されたスリット開口から成り、ここにオス端子部を挿入することにより、絶縁フィルムと金属材料の弾性でオス端子部を保持すると同時に電気的な導通構造を形成するところにある。
【先行技術文献】
【特許文献】
【０００９】
【特許文献１】特許第４０５９５２２号公報
【特許文献２】Ｗ０２０１０／０４７１４１号公報
【発明の開示】
【発明が解決しようとする課題】
【００１０】
上記した先行技術のコネクタ構造は、全体の省スペース化、オスコネクタとメスコネクタの接続部の低背化という点で優れた性能を発揮する。しかし、他方では次のような問題がある。【００１１】
まず、上記した特許文献２のコネクタ構造におけるオスコネクタとメスコネクタの場合、いずれも、出入力端子部を所定の回路基板の表面に形成されているパッドにはんだ付けして実装することにより実使用される。そして、これら両コネクタの出入力端子部は、いずれもオス端子部やメス端子部が形成されている面と反対側の面の全体にマトリックスをなして形成されている。そのため、回路基板のパッドに各コネクタのこれら出入力端子部をはんだ付けして実装するときに、その実装箇所はそれぞれのコネクタの裏面の全体に位置することになる。【００１２】
そのため、このコネクタ構造の場合、それぞれのコネクタの回路基板へのはんだ実装の作業時に、各コネクタの裏面中央部に位置する実装箇所に関しては、そこに適正な状態ではんだフィレットが形成されていて適正な実装状態が実現しているのか否かの判定を目視で評価することが極めて困難である。その点で、このコネクタ構造の場合、実装作業の作業性の低下、または実装信頼性を低下させるという不都合な問題を抱えているといえる。【００１３】
また、特許文献２のコネクタ構造の場合、オスコネクタとメスコネクタとの挿抜動作を繰り返していると、しだいにメス端子部の弾性が低下してオス端子部に対する保持力が低下し、そのため例えば外部から衝撃を受けたときに両コネクタが分離してしまうこともある。そして保持力の低下に伴い、両端子部間の接触抵抗も上昇することがある。
更には、このコネクタ構造の形状は非常に小さく、また非常に薄いので、両コネクタを組み付ける作業は慎重かつ煩雑な作業になるという問題もある。【００１４】
本発明は、上記した先行技術のコネクタ構造におけるオス端子部とメス端子部の接続構造（導通構造）は維持しつつも、はんだ実装時における上記問題点を解決するために、まず、オスコネクタとメスコネクタのいずれにおいても、出入力端子部を実装用パッド端子として各コネクタの裏面の全体にマトリックス状にではなく、裏面中央部には形成することなく、裏面の両側部に配列することにより、回路基板へのはんだ実装時に作業者が実装箇所を視認することができるようにした構造のメスコネクタとオスコネクタとから成るコネクタ構造、並びに、それに用いて好適なメスコネクタとオスコネクタの提供を目的とする。【００１５】
また本発明は、メスコネクタのパッド部を高強度・高弾性の金属材料で形成し、同時にオスコネクタのオス端子部の形状を好適化することにより、メスコネクタとオスコネクタを組み付けたときに、両端子部の接続部では、オス端子部がメス端子部で強固に保持され、したがって両端子部間の接触抵抗の上昇も抑制されるコネクタ構造、並びに、それに用いて好適なメスコネクタとオスコネクタの提供を目的とする。【００１６】
また本発明は、メスコネクタとオスコネクタの組み付け作業時における当該組み付け作業を確実に行うことができ、その作業性を高めたコネクタ構造、並びに、それに用いて好適なメスコネクタとオスコネクタの提供を目的とする。
【課題を解決するための手段】
【００１７】
上記した目的を達成するために、本発明においては、
可撓性を有する絶縁フィルムと、前記絶縁フィルムの一方の面に突設された突起バンプから成るオス端子部と、前記絶縁フィルムの他方の面を被覆して固定配置され、かつ絶縁被覆が施されている金属ガイド部材と、前記絶縁フィルムにおける前記他方の面の両側部に形成され、表面が前記金属ガイド部材の表面よりも突出し、かつ基部が前記オス端子部のそれぞれと電気的に接続されている実装用パッド端子とを有するオスコネクタ、および、
可撓性を有する絶縁フィルムと、前記絶縁フィルムの一方の面に形成されたパッド部と、前記絶縁フィルムの他方の面を被覆して固定配置され、かつ絶縁被覆が施されている金属ガイド部材と、前記パッド部およびそれが位置する前記絶縁フィルムの箇所を厚み方向に貫通して形成されたスリット開口から成るメス端子部と、前記メス端子部を包摂する断面広さを有し、かつ前記金属ガイド部材を厚み方向に貫通して形成された貫通孔と、前記絶縁フィルムにおける前記他方の面の両側部に形成され、表面が前記金属ガイド部材の表面よりも突出し、かつ基部が前記メス端子部のそれぞれと電気的に接続されている実装用パッド端子とを有するメスコネクタとを備え、
前記オスコネクタの前記オス端子部を前記メスコネクタの前記メス端子部に挿入して用いられることを特徴とするコネクタ構造が提供される。【００１８】
その場合、前記オスコネクタの前記オス端子部、または／および、前記メスコネクタの前記メス端子部が、それぞれの絶縁フィルムの長手方向に沿って２列の配列または千鳥模様の配列をなして形成されていることを好適とする。
また、前記オスコネクタの前記実装用パッド端子、または／および、前記メスコネクタの前記実装用パッド端子が、それぞれの絶縁フィルムの両側から櫛歯状に張りだして形成されていることを好適とする。
また、前記メスコネクタの前記パッド部は、前記オスコネクタの前記オス端子部を前記メス端子部に挿入したときの保持力が、１００回の挿抜動作を反復した後であっても、初期値対比で５０％以上の値を示す金属材料で形成されていることを好適とし、また前記メスコネクタまたは前記オスコネクタのいずれか一方のコネクタにおける長手方向の両端には、両コネクタを組み付けるときの位置決め用の係止ガイド部材が突設され、かつ他方のコネクタにおける長手方向の両端には、前記係止ガイド部材と嵌合可能な切欠ガイド部または貫通孔ガイド部が形成されていることを好適とし、更には、前記オス端子部がその中腹部位がくびれた形状になっていることを好適とする。【００１９】
また、本発明においては、
可撓性を有する絶縁フィルムと、前記絶縁フィルムの一方の面に形成されたパッド部と、前記絶縁フィルムの他方の面を被覆して固定配置され、かつ絶縁被覆が施されている金属ガイド部材と、前記パッド部およびそれが位置する前記絶縁フィルムの箇所を厚み方向に貫通して形成されたスリット開口から成るメス端子部と、前記メス端子部を包摂する断面広さを有し、かつ前記金属ガイド部材を厚み方向に貫通して形成された貫通孔と、前記絶縁フィルムにおける前記他方の面の両側部に形成され、表面が前記金属ガイド部材の表面よりも突出し、かつ基部が前記メス端子部のそれぞれと電気的に接続されている実装用パッド端子とを有してなり、
組み付け相手のオスコネクタのオス端子部を前記メス端子部に挿入して用いられることを特徴とするメスコネクタが提供される。【００２０】
その場合、前記メス端子部が、前記絶縁フィルムの長手方向に沿って２列の配列または千鳥模様の配列をなして形成されていることを好適とし、また前記実装用パッド端子が、前記絶縁フィルムの両側から櫛歯状に張りだして形成されていることを好適とする。更には、前記パッド部が、オス端子部を前記メス端子部に挿入したときの保持力が、１００回の挿抜動作を反復した後にあっても、初期値対比で５０％以上の値を示す金属材料で形成されていることを好適とする。【００２１】
また、本発明においては、
可撓性を有する絶縁フィルムと、前記絶縁フィルムの一方の面に突設された突起バンプから成るオス端子部と、前記絶縁フィルムの他方の面を被覆して固定配置され、かつ絶縁被覆が施されている金属ガイド部材と、前記絶縁フィルムにおける前記他方の面の両側部に形成され、表面が前記金属ガイド部材の表面よりも突出し、かつ基部が前記オス端子部のそれぞれと電気的に接続されている実装用パッド端子とを有してなり、
組み付け相手のメスコネクタのメス端子部に前記オス端子部を挿入して用いられることを特徴とするオスコネクタが提供される。【００２２】
その場合、前記オス端子部が、前記絶縁フィルムの長手方向に沿って２列の配列または千鳥模様の配列をなして形成されていることを好適とし、また前記実装用パッド端子が、前記絶縁フィルムの両側から櫛歯状に張りだして形成されていることを好適とする。更には、前記オス端子部は、その中腹部位がくびれた形状になっていることを好適とする。
【発明の効果】
【００２３】
まず、本発明のコネクタ構造の場合、用いるオスコネクタとメスコネクタは、いずれも、それを所定の回路基板にはんだ実装するための実装用パッド端子が、コネクタの裏面（すなわち実装側の面）の中央部には形成されることなく、裏面の両側部に、好ましくは例えば櫛歯状に張りだした状態で配列して形成されているので、はんだ実装時に作業者は、実装箇所にはんだフィレットが適正に形成されているのか否かを容易に視認することができ、また既設の検査機器で検査することができる。【００２４】
そして、本発明のコネクタ構造におけるオスコネクタとメスコネクタは、いずれも、前記した特許文献の技術の場合と同じように、非常に薄い絶縁フィルムにフォトリソグラフィー技術とエッチング技術とめっき技術を適用して製造されるので、省スペース化と低背化が実現されている。例えば、１列２５ピンから成る５０ピンの２列タイプで、出入力端子部がムカデの足状になっている樹脂封止型の従来のコネクタ構造に比べると、同じピン数の２列タイプのコネクタ構造の場合、大幅に狭幅が実現して全体として５０％以上の省スペースが可能となる。またオス端子部とメス端子部の接続部では３０％以上の低背化を実現することができる。【００２５】
また、メスコネクタのパッド部が高強度・高弾性の金属材料で形成されているので、オス端子部の挿抜動作を繰り返してもパッド部の弾性低下は起こりづらく、そのためオス端子部に対する保持力の低下が抑制され、同時に両端子部間の接触抵抗の上昇も抑制される。このとき、オス端子部の形状を中腹部位がくびれた形状にしておくと、上記した効果が相乗される。【００２６】
更には、一方のコネクタの長手方向の両端には係止ガイド部が突設され、他方のコネクタの両端には前記係止ガイド部と嵌合する切欠ガイド部や貫通孔ガイド部が形成されているので、両コネクタの組み付け時に、突設するその係止ガイド部を切欠ガイド部や貫通孔ガイド部に嵌め込むことにより、同時に全ての端子部の接続構造を実現することができて、組み付け時の作業性は大幅に向上する。
【図面の簡単な説明】
【００２７】
【図１】オスコネクタＣ１の一方の面（Ａ面）の１例を示す平面図である。
【図２】オスコネクタＣ１の他方の面（Ｂ面）の１例を示す平面図である。
【図３】図１のＩＩＩ−ＩＩＩ線に沿う断面図である。
【図４】突起バンプ（オス端子部）の好適例を示す断面図である。
【図５】メスコネクタＣ２の一方の面（Ａ面）の１例を示す平面図である。
【図６】メスコネクタＣ２の他方の面（Ｂ面）の１例を示す平面図である。
【図７】図６のＶＩＩ−ＶＩＩ線に沿う断面図である。
【図８】メスコネクタＣ２にオスコネクタＣ１を組み付けたときのメス端子部とオス端子部の接続構造を示す断面図である。
【図９】リジッド回路基板にオスコネクタＣ１をはんだ実装する状態を示す斜視図である。
【図１０】はんだ実装により、はんだフィレットが形成された状態を示す斜視図である。
【図１１】フレキシブル回路基板にメスコネクタをはんだ実装し、そのメスコネクタＣ２を、リジッド回路基板にはんだ実装されたオスコネクタＣ１に対向配置した状態を示す斜視図である。
【図１２】オスコネクタＣ１とメスコネクタＣ２を用いたコネクタ構造の１例を示す斜視図である。
【図１３】オスコネクタＦ１の一方の面（Ａ面）の１例を示す平面図である。
【図１４】オスコネクタＦ１の他方の面（Ｂ面）の１例を示す平面図である。
【図１５】メスコネクタＦ２の一方の面（Ａ面）の１例を示す平面図である。
【図１６】メスコネクタＦ２の他方の面（Ｂ面）の１例を示す平面図である。
【図１７】リジッド回路基板にはんだ実装されたオスコネクタＦ１とフレキシブル回路基板にはんだ実装されたメスコネクタＦ２を対向配置した状態を示す断面図である。
【図１８】オスコネクタＦ１とメスコネクタＦ２を用いたコネクタ構造の１例を示す断面図である。
【図１９】メスコネクタＣ２に突起バンプ（オス端子部）を挿入したときのパッド部の塑性変形の状態を示す断面図である。
【図２０】メスコネクタＦ２に突起バンプ（オス端子部）を挿入したときのパッド部の塑性変形の状態を示す断面図である。
【発明を実施するための形態】
【００２８】
最初に、本発明のコネクタ構造を構成するオスコネクタとメスコネクタのうち、オス端子部がコネクタの長手方向に沿って２列に配列されているオスコネクタＣ１と同じくメス端子部が２列に配列されているメスコネクタＣ２について、その基本構造を図面に則して説明する。
【００２９】
まずオスコネクタＣ１について説明する。
図１は、オスコネクタＣ１において、オス端子部が突設して形成されている一方の面（以下、Ａ面という）の１例を示す平面図であり、図２は、オスコネクタＣ１の他方の面（以下、Ｂ面という）の１例を示す平面図であり、図３は図１のＩＩＩ−ＩＩＩ線に沿う断面図である。ここで、Ｂ面がオスコネクタＣ１の裏面であって、こちら側の面がオスコネクタＣ１を所定の回路基板にはんだ実装するときの実装側の面となる。
【００３０】
このオスコネクタＣ１では、可撓性を有する絶縁フィルム１を基材とする。絶縁フィルム１としては、例えばポリイミド、ポリエステル、液晶ポリマー、ポリエーテルケトンなどの絶縁性樹脂のフィルムを用いることができる。とくに、厚み２５〜５０μｍのポリイミドフィルムは好適である。
【００３１】
絶縁フィルム１のＡ面１ａの両側部には、所定の間隔を置いて１列８個から成る２列構造のパッド部２が形成されている。パッド部２の平面視形状は図１のような四角形に限定されるものではなく、円形など適宜な形状を選択することができ、その大きさはそこに立設される突起バンプの外径やオスコネクタＣ１の全体的な広さとの関係を勘案して適宜な大きさに設計される。そして各パッド部の中心箇所には、例えばめっき銅から成る突起バンプ３が突設されている。突起バンプ３の高さは、１５０〜３００μｍ程度であることが好ましい。このようにして絶縁フィルム１のＡ面１ａに、その長手方向に配列して２列構造の突起バンプが形成され、これが、後述するように、オス端子部Ｄとして機能する。
【００３２】
これらパッド部２は、絶縁フィルム１のＡ面１ａに例えば銅のような所定材料のめっき膜を製膜し、そのめっき膜にフォトリソグラフィー技術とエッチング技術を適用して形成することができる。また例えば市販の銅張絶縁フィルムの表面銅箔にフォトリソグラフィー技術とエッチング技術を適用しても形成することができる。このとき、パッド部２に対してフォトリソグラフィー技術とエッチング技術を適用することにより、突起バンプ３を同時に形成することもできる。
【００３３】
なお、突起バンプ３を、図４で示したように、中腹部位がくびれた形状の突起バンプ３’となるように形成すると、後述するメスコネクタＣ２のメス端子部にこの突起バンプ３’（オス端子部Ｄである）を挿入したときの両者間の保持力が大きくなり、両者の挿抜動作を繰り返した場合でも両者間の保持力の低下が抑制され、同時に両者間の接触抵抗の上昇も抑制されて好適である。外径が例えば２００μｍ程度の突起バンプである場合、その中腹部位に５〜２０μｍ程度小径のくびれ部を形成すると、上記した保持力の向上にとって有効である。しかし、あまり大きなくびれた形状にすると、挿抜動作における抜脱作業が困難となり、極端な場合はメスコネクタＣ２のパッド部８を破損することもあるので、上記したように、くびれ部の径は全体の外径よりも５〜２０μｍ程度小径にすることが好ましい。また、図４で示したように、先端部に例えば研磨処理を施して当該先端部を曲面形状に加工すると、メスコネクタＣ２のメス端子部への挿入が円滑に行えるので好適である。
【００３４】
この突起バンプ３’はパッド部２に立設されているのであるが、それは、所定の外径と高さを有する突起バンプを形成したのち、その頂部をマスキングした状態で中腹部位に選択的なエッチング処理を施してその部位を減径することによって形成することができる。
【００３５】
また、絶縁フィルム１のＡ面１ａにおける長手方向の両端には、図１で示したように、後述するメスコネクタＣ２を組み付けるときの位置決め用の係止ガイド部４が突設されている。この係止ガイド部４は、その高さをパッド部２の厚みよりも５０μｍ程度厚くしておくことが好ましい。この係止ガイド部４もまた、絶縁フィルム１にフォトリソグラフィー技術とエッチング技術を適用して形成することができる。
【００３６】
一方、絶縁フィルム１のＢ面１ｂの両側部には、図２で示したように、Ａ面１ａの両側部に配列して形成されている突起バンプ３のそれぞれの位置に対応した箇所に、例えばめっき銅から成る所定厚みの実装用パッド端子５が形成されている。そして、各実装用パッド端子５の基部は、図３で示したように、絶縁フィルム１の厚み方向に形成されている導電ビア６を介してＡ面１ａのパッド部２とそれぞれ電気的に接続されている。
【００３７】
これら実装用パッド端子５は、このオスコネクタＣ１を所定の回路基板にはんだ付けして実装するときのはんだとの接続部であるが、同時にオスコネクタＣ１の出入力端子部でもある。
なお、はんだ実装時の作業性の観点からすると、実装用パッド端子５は絶縁フィルム１のＢ面１ａの両側部に形成させることを好適とするのであるが、その場合、図１と図２で示した態様で形成することが好ましい。
【００３８】
すなわち、図１と図２で示した実装用パッド端子５の場合、それぞれの実装用パッド端子の間は切欠構造になっていて、各実装用パッド端子５はその先端が絶縁フィルム１の両側部から櫛歯状に張りだした態様で絶縁フィルム１の長手方向に配列している。このような態様で実装用パッド端子５が形成されていると、このオスコネクタＣ１を所定の回路基板にはんだ付けして実装するときに、作業者は、各実装用パッド端子と回路基板のパッドとのはんだ接続状態を確実に視認することができ、また従来から使用されていた検査機器を用いて検査することもできて好適である。
【００３９】
このような切欠構造は、例えば、絶縁フィルム１のＡ面１ａにパッド部２用のめっき膜を製膜し、またＢ面１ｂに実装用パッド端子５用のめっき膜をそれぞれ製膜したのち、フォトリソグラフィー技術とエッチング技術を適用して、まず切欠くべき部分に存在するパッド部用のめっき膜または実装用パッド端子用のめっき膜だけを除去し、続いて、そこに表出した絶縁フィルム１の部分を例えばレーザー照射技術を適用して除去し、最後に、切欠くべき部分に残っている他のめっき膜をエッチング除去することにより形成することができる。
【００４０】
絶縁フィルム１のＢ面１ｂのうち、前記した実装用パッド端子５が形成されていない面には、そこを被覆して絶縁被覆が施された金属ガイド部材７が固定配置されている。
【００４１】
この金属ガイド部材の厚みは、実装用パッド端子５の厚みよりも薄く、例えば２０〜１００μｍ程度の厚みに設定され、実装用パッド端子５の表面が金属ガイド部材７の表面よりも１０〜３０μｍ程度突出するようになっていることが好ましい。
このようにすると、オスコネクタＣ１を回路基板にはんだ付けして実装するときに、金属ガイド部材７が溶融はんだと接触して濡れることを防止できるからである。
【００４２】
この金属ガイド部材７は、このオスコネクタＣ１を後述するメスコネクタＣ２に組み付けるときに、当該オスコネクタＣ１が撓んだり、反ったりして両コネクタの組み付け不良が起こらないように、オスコネクタＣ１全体の機械的強度を高めるために絶縁フィルム１に固定配置される。
そして、同じＢ面１ｂ内で互いに隣接して配置されている実装用パッド端子５との間で短絡事故が起こることを防ぐために、この金属ガイド部材７の表面全体は絶縁被覆されている。具体的には、金属ガイド部材７の表面は、例えばポリイミド樹脂、エポキシ樹脂、フッ素樹脂などの絶縁性樹脂でコーテイングされている。とくに、ポリイミド樹脂を用いると、製膜されたコーテイング膜は電気絶縁性が良好で、電着による均一製膜も可能であり、またエポキシ樹脂を用いてフレキシブル回路基板にも接着できるという点で好適である。なお、金属ガイド部材７のベースを構成する金属材料としては、格別限定されるものではなく、たとえば銅、ステンレス鋼などをあげることができる。
【００４３】
この金属ガイド部材７をＢ面１ｂに固定配置する場合、平面視形状が図２で示した形状の金属部材を所定の金属箔で別体として製造し、その表面全体に絶縁被覆を施したのち、それを例えば接着剤を用いて絶縁フィルム１のＢ面１ｂに貼着すればよい。
【００４４】
次に、図５〜図７に基づいて、オスコネクタＣ１に組み付けるメスコネクタＣ２について説明する。
図５はメス端子部が配列している一方の面（以下、Ａ面という）の１例を示す平面図であり、図６は他方の面（以下、Ｂ面という）を示す平面図であり、図７は図６のＶＩＩ−ＶＩＩ線に沿う断面図である。
このメスコネクタＣ２の場合、そのＡ面に配列するメス端子部に、オスコネクタＣ１のＡ面に配列するオス端子部が挿入されて両コネクタの組み付けが行われる。
メスコネクタＣ２の基材としては、前記したオスコネクタＣ１の場合と同じように絶縁フィルム１が使用される。
【００４５】
絶縁フィルム１のＡ面１ａの両側部には、組み付け相手のオスコネクタＣ１の突起バンプ３（オス端子部Ｄ）と同じ間隔で１列８個から成るパッド部８が、絶縁フィルム１の長手方向に沿って２列構造で形成されている。各パッド部８の中心箇所には、パッド部８と絶縁フィルム１を貫通して例えば十文字形状をしたスリット開口９が形成されている。このパッド部８のスリット開口９には、オスコネクタＣ１のオス端子部Ｄ（突起バンプ３）がＡ面側から挿入されることにより、ここがメス端子部Ｅとして機能する。
【００４６】
一方、絶縁フィルム１のＢ面１ｂの両側部には、Ａ面のパッド部８と対応する位置にそれぞれ８個の実装用パッド端子１０が形成され、かつ各実装用パッド端子１０の基部は絶縁フィルム１の厚み方向に形成された導電ビア６を介してＡ面１ａのパッド部８と電気的に接続されている。
【００４７】
また、絶縁フィルム１のＢ面１ｂのうち、実装用パッド端子１０が形成されていない面には、前記したオスコネクタＣ１の場合と同じように、表面全体に絶縁被覆が施された金属ガイド部材７’が固定配置されている。そして、この金属ガイド部材７’には、それがスリット開口９と接触する箇所では、その箇所に、スリット開口９の全体を包摂する断面広さを有し、かつ厚み方向に貫通する貫通孔１１が形成されていて、パッド部８に形成されているスリット開口９と金属ガイド部材７’に形成されている貫通孔１１は連通状態になっている。
【００４８】
そして、このメスコネクタＣ２を所定の回路基板にはんだ付けして実装するときの接続部でもある実装用パッド端子１０の表面が、金属ガイド部材７’の表面よりも突出していること、その好ましい突出量が１０〜３０μｍ程度であることなどは前記したオスコネクタＣ１の場合と同様である。
【００４９】
また、図５と図６で示したように、メスコネクタＣ２の場合も、前記したオスコネクタＣ１の場合と同様に、それぞれの実装用パッド端子１０の間を切欠構造とし、各実装用パッド端子１０の先端を絶縁フィルム１の両側から櫛歯状に張りだした態様で形成されている。こうすることにより、メスコネクタＣ２を所定の回路基板にはんだ付けして実装するときに、作業者による実装作業の作業性を向上させることができるからである。
【００５０】
更に、このメスコネクタＣ２の場合、その長手方向の両端には、組み付ける相手材であるオスコネクタＣ１の両端に突設して形成された位置決め用の係止ガイド部４を嵌め込むことができる切欠ガイド部１２が形成されている。この切欠ガイド部１２の形状は、相手材の係止ガイド部の形状に対応していて、相手材の係止ガイド部が例えば円柱状の突起であれば、その突起を嵌め込める円形貫通孔のガイド部であってもよい。
【００５１】
なお、本発明のコネクタ構造の場合、オスコネクタＣ１の係止ガイド部４をメスコネクタＣ２の方に突設し、それに対応して、メスコネクタＣ２の切欠ガイド部１２や貫通孔ガイド部をオスコネクタＣ１の方に形成してもよい。
【００５２】
このメスコネクタＣ２のスリット開口９（メス端子部Ｅ）に前記したオスコネクタＣ１の突起バンプ３（オス端子部Ｄ）を挿入して両コネクタを組み付けたときの両端子部の接続構造を図８に示す。
【００５３】
両コネクタを組み付けると、スリット開口９に挿入された突起バンプ３は、当該スリット開口を押し広げながら貫通孔１１の方に挿入されていく。そのとき、スリット開口９は突起バンプ３の挿入方向に撓む。そのため、スリット開口９が形成されているパッド部８と絶縁フィルム１には復元力が発生するので、パッド部８の表面は突起バンプ３の中腹部位と圧接し、ここに突起バンプ３がスリット開口９の復元力で保持されると同時に、両コネクタ間には導通構造が形成される。
【００５４】
なお、図７と図８からも明らかなように、メスコネクタＣ２の金属ガイド部材７’の厚みは、実装用パッド端子１０の厚みよりも薄く、かつ挿入された突起バンプ３（オス端子部Ｄ）の高さよりも厚くなるように設定されている。すなわち、貫通孔１１に挿入された突起バンプ３が金属ガイド部材７’の上面から突出しないような厚みに設定される。
【００５５】
両コネクタの組み付け時に、スリット開口９は、メス端子部Ｅとして機能すると同時に、オス端子部Ｄを保持するための保持部としても機能する。そして、保持部としては、スリット開口９へのオス端子部Ｄの挿抜動作を反復しても、保持力は低下せず、同時に両端子部間の接触抵抗の上昇も起こらないような保持部であることが好ましい。
【００５６】
その場合、保持力としては、１００回の挿抜動作を反復した後であっても、最初に挿入したときの保持力（初期値）と対比して５０％以上の値を示すようになることが好ましい。このような保持力が上記保持部で確保されていれば、両端子部間の接触抵抗の上昇も抑制され、また例えば外部から衝撃を受けても両コネクタが分離するという不都合も防ぐことができるからである。より好ましくは、１００回の挿抜動作後の保持力が初期値対比で６５％以上の場合である。
【００５７】
このようなことからすると、メスコネクタＣ２のパッド部８としては、高強度・高弾性の金属材料で構成されることが好ましい。そのような金属材料としては、ステンレス鋼、銅合金、鉄合金などを好適例としてあげることができる。とくに、ステンレス鋼やコルソン合金（銅合金）は好適である。また、これら金属材料で形成したパッド部の表面に金や銅などのめっきが施されていてもよい。
【００５８】
次に、リジッド回路基板にオスコネクタＣ１をはんだ実装し、フレキシブル回路基板にメスコネクタＣ２をはんだ実装した場合のコネクタ構造について説明する。
【００５９】
まず、図９で示したように、表面に所定形状のパッド１３ａが２列に配列するリジッド回路基板１３の上にオスコネクタＣ１を配置し、その裏面に配列する実装用パッド端子５とパッド１３ａの間をはんだ付けする。その結果、図１０で示したように、実装用パッド端子５とパッド１３ａの間にはんだフィレット１４が形成され、オスコネクタＣ１はリジッド回路基板の上にはんだ実装される。
【００６０】
このはんだ付けの作業過程で、実装用パッド端子５の厚みは金属ガイド部材７の厚みよりも厚くなっているので、当該金属ガイド部材７が溶融はんだと接触して濡れることはない。また、このはんだ付け作業は、オスコネクタＣ１の両側から櫛歯状に張りだしている実装用パッド端子５とパッド１３ａとのはんだ付け作業となるので、作業者ははんだフィレットの形成状態を目視で確認したり、または従来から使用されている検査機器を用いてはんだフィレットの形成状態の良否を検査することもできる。
【００６１】
メスコネクタＣ２をフレキシブル回路基板にはんだ実装する場合も同様である。すなわち、図７で示したメスコネクタＣ２のＢ面に２列構造をなして突出している実装用パッド端子１０とフレキシブル回路基板の表面に同じく２列構造をなして配列されているパッドをはんだ付けして、当該メスコネクタＣ２をそこに実装する。この場合も、実装用パッド端子１０は、櫛歯状にメスコネクタＣ２の両側から側方に張りだしているので、作業者ははんだフィレットの形成状態を視認することができる。
【００６２】
ついで、図１１で示したように、メスコネクタＣがはんだ実装されている実装箇所に対応するフレキシブル回路基板１５の裏面に、平面視形状が実装されているメスコネクタＣ２と同じ形状をした補強板１６を例えば接着剤を用いて固定配置する。このとき、メスコネクタＣ２の両端に形成されている（したがって補強板の両端にも形成されている）切欠ガイド部１２から表出しているフレキシブル回路基板の部分は例えばレーザー照射して除去する。
このようにして、フレキシブル回路基板の先端部には、メスコネクタＣ２、フレキシブル回路基板１５、補強板１６が切欠ガイド部１２を共有した状態で一体化する。
【００６３】
なお、補強板１６としては、例えばステンレス鋼シートや銅合金シートをエッチング加工したもの、またはフォトリソグラフィー技術と電鋳加工を組み合わせてニッケル合金にパターン形成したものなどを用いればよい。
【００６４】
そして、図１１で示したように、メスコネクタＣ２のＡ面をオスコネクタＣ１のＡ面と対向配置し、オスコネクタＣ１の両端に突設されている位置決め用の係止ガイド部４に切欠ガイド部１２を嵌合する。そのとき同時に、メスコネクタＣ２のパッド部８のスリット開口９にオスコネクタＣ１の突起バンプ３が挿入されて、図１２で示したように、両コネクタが組み付けられ、リジッド回路基板１３とフレキシブル回路基板１５を電気的に接続するコネクタ構造が形成される。
【００６５】
次に、図１３〜図１６に、オス端子部が千鳥模様をなして配列しているオスコネクタＦ１と、このオスコネクタＦ１の組み付け相手材であり、メス端子部が同じく千鳥模様をなして配列しているメスコネクタＦ２を示す。
【００６６】
図１３は、このオスコネクタＦ１においてオス端子部が突設されている一方の面（Ａ面）の１例を示す平面図であり、図１４は、絶縁フィルムの両側部に実装用パッド端子が形成されている他方の面（Ｂ面）の１例を示す平面図である。図１５は、メスコネクタＦ２においてメス端子部が配列する一方の面（Ａ面）の１例を示す平面図であり、図１６は、絶縁フィルムの両側部に実装用パッド端子が形成されている他方の面（Ｂ面）を示す平面図である。
【００６７】
このオスコネクタＦ１の場合、図１３からも明らかなように、Ａ面から千鳥模様をなして突設している突起バンプ３（オス端子部Ｄ）の個数は３４ピンである。したがって、これら突起バンプ３をその中心箇所に立設させているパッド部２の個数も３４個である。また、このオスコネクタＦ１の場合、前記したオスコネクタＣ１ではその長手方向の両端に突設して形成されている位置決め用の係止ガイド部４に代えて、両端の４隅にはそれぞれ円柱突起４’が係止ガイド部として合計４個形成されている。
【００６８】
そして、Ｂ面の両側部からは、図１４からも明らかなように、片側１７個、両側で３４個の実装用パッド端子５がその先端部を約５０μｍほど櫛歯状に張りだした状態で形成されている。そして、これら実装用パッド端子の形成箇所以外のＢ面には絶縁被覆が施された金属ガイド部材７’が固定配置されていることはオスコネクタＣ１の場合と同じである。
【００６９】
突起バンプ３を千鳥模様に形成したことに伴い、図１３で示したように、Ａ面の中央部に２列構造で配列するそれぞれのパッド部２からはリード２’を両側部まで引き出し、それと、Ｂ面の両側部に配列する実装用パッド端子５との間が電気的に接続されている。その場合、絶縁フィルムの厚み方向に形成された導電ビアを介して、実装用パッド端子５の基部と上記したリード２’が電気的に接続されることはオスコネクタＣ１の場合と同様である。
【００７０】
メスコネクタＦ２の場合、図１５からも明らかなように、そのＡ面には、オスコネクタＦ１における突起バンプ３の配列に対応した千鳥模様をなして、３４個のパッド部８が形成され、それぞれのパッド部８には、十文字形状をしたスリット開口９がメス端子部Ｅとして形成されている。また、このメスコネクタＦ２の長手方向の両端には、前記したメスコネクタＣ２に形成されていた切欠ガイド部１２に代えて、前記したオスコネクタＦ１の円柱突起（係止ガイド部）４’と嵌合可能な４個の貫通孔１２’が貫通孔ガイド部として形成されている。
【００７１】
そして、Ｂ面の両側からは、図１６からも明らかなように、片側１７個、両側で３４個の実装用パッド端子１０がその先端部を約５０μｍ程度側方に櫛歯状に張りだした状態で形成されている。
【００７２】
これら実装用パッド端子１０の形成箇所以外のＢ面には、絶縁被覆が施された金属ガイド部材７’が固定配置されていること、そしてその金属ガイド部材７’が前記スリット開口９と重なり合う箇所では、その厚み方向に、スリット開口９を包摂する断面広さを有する貫通孔１１が形成されることにより、当該貫通孔１１とスリット開口９が連通状態になっていることは、メスコネクタＣ２の場合と同じである。
【００７３】
パッド部８を千鳥模様で配列したことに伴い、図１５で示したように、Ａ面の中央部に２列構造で配列するそれぞれのパッド部８からはリード８’を引き出し、それと、Ｂ面の両側部に配列する実装用パッド端子１０の基部との間が、絶縁フィルムの厚み方向に形成された導電ビアを介して電気的に接続されていることはメスコネクタＣ２の場合と同様である。
【００７４】
ここで、メス端子部が２列構造で形成されているメスコネクタＣ２とメス端子部が千鳥模様をなして全体として４列構造で形成されている上記したメスコネクタＦ２を対比すると、例えば、両コネクタの全長も幅も同じで、かつ形成するメス端子部の個数が同じである場合には、メスコネクタＦ２のメス端子部の平面的な広さはメスコネクタＣ２の場合に比べて小さくなる。
【００７５】
メス端子部の平面的な広さが小さくなると、ここにオスコネクタの突起バンプ（オス端子部）がスリット開口を押し広げながら挿入されたときに、スリット開口の部分のパッド部の塑性変形量が大きくなり、そのため、挿抜動作の初期段階で、早々と両端子部間の保持力の低下、ひいては接触抵抗の上昇を招きやすくなるという問題が生じる。
このように、両端子間の接続信頼性の点からすると、メス端子部の平面的な広さは広い方がよいのであるが、しかしそれは、コネクタの長さや幅を拡張することになり、省スペース化を犠牲にすることになる。
【００７６】
この点、図１５と図１６で示したメスコネクタＦ２の場合、同じ３４個のメス端子部を有する２列構造のメスコネクタＣ２に比べると、全長は同じであるが、その幅は約１．６倍と広幅になっている。しかし、メス端子部における貫通孔１１の直径はメスコネクタＣ２の貫通孔１１の直径の約１．５倍になっていて、パッド部８の塑性変形がメスコネクタＣ２の場合よりも小さくなるように設計されている。すなわち、このメスコネクタＦ２の場合、省スペース化は多少犠牲にしても、両端子間の接続信頼性を高めるように設計されている。
【００７７】
上記したオスコネクタＦ１は、図１１で示した２列タイプのオスコネクタＣ１の場合と同じように、Ｂ面の実装用パッド端子５を例えばリジッド回路基板１３のパッドにはんだ付けして当該リジッド回路基板１３にはんだ実装される。またメスコネクタＦ２は、図１１で示した２列タイプのメスコネクタＣ２の場合と同じように、Ｂ面の実装用パッド端子１０を例えばフレキシブル回路基板１５のパッドにはんだ付けして当該フレキシブル回路基板１５にはんだ実装され、更にフレキシブル回路基板に４個の貫通孔ガイド部１２’が形成され、そしてその裏面に補強板１６が固定配置される。そして両者の組み付けが行われる。
【００７８】
まず、図１７で示したように、互いのＡ面を対向配置し、オスコネクタＦ１に突設されている４個の円柱突起４’をメスコネクタＦ２に形成されている４個の貫通孔１２’のそれぞれに嵌め込み、全体を圧接する。
【００７９】
その結果、図１８で示したように、オスコネクタＦ１の突起バンプ３（オス端子部Ｄ）は、メスコネクタＦ２におけるパッド部８のスリット開口９から金属ガイド部材７’の貫通孔１１に挿入され、ここにコネクタ構造が形成される。
【００８０】
このときのパッド部８の塑性変形の状態を、図１９で示したメスコネクタＣ２のパッド部８の塑性変形の状態と比較して、図２０に示す。
図からも明らかなように、メスコネクタＦ２の場合、メス端子部の平面的な広さが大きいので、パッド部８の塑性変形は、メス端子部の平面的な広さが小さいメスコネクタＣ２の塑性変形に比べて大幅に小さくなっている。
【００８１】
なお、上記した説明では、千鳥タイプのオスコネクタＦ１およびメスコネクタＦ２は、２列タイプのオスコネクタＣ１及びメスコネクタＣ２と比較して、幅が広くなっている。しかしながら、オスコネクタＦ１のパッド部２及び突起バンプ３（オス端子部Ｄ）やメスコネクタＦ２におけるパッド部８の大きさや配置間隔などを調整することにより、例えば、図１３〜図１６に示したパッド部２及び突起バンプ３、並びにパッド部８の相互の配置間隔を狭めることにより、２列タイプのオスコネクタＣ１及びメスコネクタＣ２と同程度の幅とすることももちろん可能である。
【００８２】
また、上記した説明では、オスコネクタＣ１，Ｆ１とメスコネクタＣ２，Ｆ２の組み合わせで提供しているが、いずれか一方のみを上記した本発明の構成として、金属製のバンプ等が用いられた他の形式のオスコネクタ又はメスコネクタと組み合わせることもできる。もっとも、上記した本発明のオスコネクタＣ１，Ｆ１及びメスコネクタＣ２，Ｆ２の組み合わせからなる２列タイプのコネクタ構造として用いることが薄型化、省スペース化、低背化のためにより好ましいことはもちろんである。
【符号の説明】
【００８３】
Ｃ１、Ｆ１  オスコネクタ
Ｃ２、Ｆ２  メスコネクタ
１          絶縁フィルム
１ａ        絶縁フィルム１の一方の面（Ａ面）
１ｂ        絶縁フィルム１の他方の面（Ｂ面）
２          パッド部
３、３’          突起バンプ（オス端子部Ｄ）
４          位置決め用の係止ガイド部
４’        位置決め用の円柱突起
５          実装用パッド端子
６          導電ビア
７、７’    金属ガイド部材
８          パッド部
８’        パッド部８からのリード
９          スリット開口
１０        実装用パッド端子
１１        貫通孔
１２        切欠ガイド部
１２’      貫通孔ガイド部
１３        リジッド回路基板
１３ａ      リジッド回路基板のパッド
１４        はんだフィレット
１５        フレキシブル回路基板
１６        補強板
【図１】
2014069327.tif 000003
【図２】
2014069327.tif 000004
【図３】
2014069327.tif 000005
【図４】
2014069327.tif 000006
【図５】
2014069327.tif 000007
【図６】
2014069327.tif 000008
【図７】
2014069327.tif 000009
【図８】
2014069327.tif 000010
【図９】
2014069327.tif 000011
【図１０】
2014069327.tif 000012
【図１１】
2014069327.tif 000013
【図１２】
2014069327.tif 000014
【図１３】
2014069327.tif 000015
【図１４】
2014069327.tif 000016
【図１５】
2014069327.tif 000017
【図１６】
2014069327.tif 000018
【図１７】
2014069327.tif 000019
【図１８】
2014069327.tif 000020
【図１９】
2014069327.tif 000021
【図２０】
2014069327.tif 000022
【国際調査報告】
2014069327.tif 000023
2014069327.tif 000024
2014069327.tif 000025
2014069327.tif 000026